(57)【特許請求の範囲】
【請求項１】
上方向に延びる支幹を立てた燃料槽；
該燃料槽から上方向に突出する燃料放出ノズル；
前記支幹の上端部を厚み方向に貫通する支持ピンでそれを中心に回動可能に支持され、前記燃料放出ノズルの上方の空間を開閉する上蓋；
該上蓋を厚み方向に貫通する係合ピン；
該係合ピンと、上下方向に係合し、上下方向に移動可能な着火ボタン；
該着火ボタンの下向き移動によって駆動されて前記燃料放出ノズルを燃料ガスを放出する位置に置くレバー；
前記着火ボタンが燃料ガス放出位置より下方に移動したときに着火用の高電圧を発生する圧電ユニット；
前記燃料槽が挿通できる内空間を囲むループ状であって、外ケースの上部分と結合する下部分，前記燃料放出ノズルの上端の上方の着火空間を包囲する風防部分，前記支持ピンと係合ピンの端面を被覆する部分、および、前記着火ボタンを上下動可能にその側面を包囲する部分を有する風防部材；
該風防部材の内空間を通った燃料槽を受け入れて、上端が風防部材に結合した外ケース；および、
外ケースとその中の燃料槽とを固着する手段；を備えるライター。
【請求項２】
上方向に延びる支幹を立てた燃料槽；
該燃料槽から上方向に突出する燃料放出ノズル；
前記燃料放出ノズルが放出する燃料ガスに空気を混合する空気混合器；
火室およびそこに混合気を放出するノズルを支持する火室ブロック；
前記支幹の上端部を厚み方向に貫通する支持ピンでそれを中心に回動可能に支持され、前記燃料放出ノズルの上方の空間を開閉する上蓋；
該上蓋を厚み方向に貫通する係合ピン；
該係合ピンと、上下方向に係合し、上下方向に移動可能な着火ボタン；
該着火ボタンの下向き移動によって駆動されて前記燃料放出ノズルを燃料ガスを放出する位置に置くレバー；
前記着火ボタンが燃料ガス放出位置より下方に移動したときに着火用の高電圧を発生する圧電ユニット；
前記燃料槽が挿通できる内空間を囲むループ状であって、外ケースの上部分と結合する下部分，前記火室ブロックの側面を包囲する保護部分，前記支持ピンと係合ピンの端面を被覆する部分、および、前記着火ボタンを上下動可能にその側面を包囲する部分を有する保護部材；
該保護部材の内空間を通った燃料槽を受け入れて、上端が保護部材に結合した外ケース；および、
外ケースとその中の燃料槽とを固着する手段；を備えるライター。
【請求項３】
前記外ケースの下底には、固定ねじが貫通する穴があり；前記燃料槽の下底には、該穴を貫通した固定ねじを受け入れる雌ねじ穴があり、前記固着手段は、前記外ケースの下底の穴を通して前記燃料槽の下底の雌ねじ穴にねじ込まれた前記固定ねじである；請求項１又は請求項２に記載のライター。
【発明の詳細な説明】
【０００１】
【発明の属する技術分野】
本発明は、ライターに関し、特に、上面が上蓋と着火ボタンの並びであって着火ボタンを押し下げることにより上蓋が回動起立して、炎又は高熱燃焼ガスが発生する着火空間が開く、押し開き型のライターに関する。
【０００２】
【従来の技術】
この種のライターは、燃料槽に支幹を立ててその上端部を厚み方向ｘに貫通する支持ピンで上蓋を回転（起立）可能に支持し、上蓋の基部を厚み方向に貫通する係合ピンに、上下方向に移動可能な着火ボタンを係合させている。着火ボタンを押し下げることにより、上蓋が上跳ね起立する。すなわち開になる。上記支持ピンおよび係合ピンの端面には、深絞り形状（円筒カップ状／４角筒カップ状）の外ケースの壁面が対向しており、抜け落ちることは無い。しかし、燃料槽にライター機構要素を組み付けた、外ケースに挿入直前の、中ユニットでは、支持ピンおよび係合ピンの端面を支えるものが無いので、支持ピンおよび係合ピンが抜け落ち易い。ピンが抜けると中ユニットが崩れる。すなわち部品がばらばらになる。
【０００３】
【発明が解決しようとする課題】
ところで、炎長調整用の爪付きアジャスタリング又はそれが装着された調整筒は、外ケースから露出しており、これを廻して火力（炎長或いは高熱燃焼ガスの勢い）を、外ケースの爪だし開口幅やケース下底の扇状窓などで規制される調整範囲内で調節できる。該調整範囲内では適正な火力に調整できないと、爪付きアジャスタリングを、燃料槽から突出する調整筒から外して、調整筒を廻して所望の火力にしてから、爪付きアジャスタリングを調整筒に再装着する。これは調整範囲の再設定である。ライターの組み立て時や、異なった燃料の注入により炎長が変わったときや、テスト又は検査のときや修理後に、このような調整範囲の設定又は再設定を行うことがある。
【０００４】
ライターの製品組み立てのとき、ならびに、炎長調整用の調整筒に対する爪付きアジャスタリングの脱，着のために外ケースを外さなければならない型のライターの場合の調整範囲の設定又は再設定のとき、或いは、修理，点検のために外ケースを外すときなど、外ケースから引き出した中ユニットの、前述の支持ピンおよび係合ピンが抜け落ち易く、作業性が悪い。
【０００５】
本発明は、上述の作業性を良く改善することを目的とする。
【０００６】
【課題を解決するための手段】
（１）上方向（ｚ）に延びる支幹（１ｂ）を立てた燃料槽（１）；
該燃料槽（１）から上方向（ｚ）に突出する燃料放出ノズル（２）；
前記支幹（１ｂ）の上端部を厚み方向（ｘ）に貫通する支持ピン（３）でそれを中心に回動可能に支持され、前記燃料放出ノズル（２）の上方の空間を開閉する上蓋（４）；
該上蓋（４）を厚み方向（ｘ）に貫通する係合ピン（５）；
該係合ピン（５）と、上下方向（ｚ）に係合し、上下方向（ｚ）に移動可能な着火ボタン（６）；
該着火ボタン（６）の下向き移動によって駆動されて前記燃料放出ノズル（２）を燃料ガスを放出する位置に置くレバー（７）；
前記着火ボタン（６）が燃料ガス放出位置より下方に移動したときに着火用の高電圧を発生する圧電ユニット（９）；
前記燃料槽（１）が挿通できる内空間を囲むループ状であって、外ケース（１２）の上部分と結合する下部分（１１ａ），前記燃料放出ノズル（２）の上端の上方の着火空間を包囲する風防部分（１１ｂ），前記支持ピン（３）と係合ピン（５）の端面を被覆する部分（１１ｃ）、および、前記着火ボタン（６）を上下動可能にその側面を包囲する部分（１１ｄ）を有する風防部材（１１）；
該風防部材（１１）の内空間を通った燃料槽（１）を受け入れて、上端が風防部材（１１）に結合した外ケース（１２）；および、
外ケース（１２）とその中の燃料槽（１）とを固着する手段（１３）；を備えるライター。
【０００７】
（２）上方向（ｚ）に延びる支幹（１ｂ）を立てた燃料槽（１）；
該燃料槽（１）から上方向（ｚ）に突出する燃料放出ノズル（２）；
前記燃料放出ノズル（２）が放出する燃料ガスに空気を混合する空気混合器（１５）；
火室およびそこに混合気を放出するノズルを支持する火室ブロック（１６）；前記支幹（１ｂ）の上端部を厚み方向（ｘ）に貫通する支持ピン（３）でそれを中心に回動可能に支持され、前記燃料放出ノズル（２）の上方の空間を開閉する上蓋（４）；
該上蓋（４）を厚み方向（ｘ）に貫通する係合ピン（５）；
該係合ピン（５）と、上下方向（ｚ）に係合し、上下方向（ｚ）に移動可能な着火ボタン（６）；
該着火ボタン（６）の下向き移動によって駆動されて前記燃料放出ノズル（２）を燃料ガスを放出する位置に置くレバー（７）；
前記着火ボタン（６）が燃料ガス放出位置より下方に移動したときに着火用の高電圧を発生する圧電ユニット（９）；
前記燃料槽（１）が挿通できる内空間を囲むループ状であって、外ケース（１２）の上部分と結合する下部分（１４ａ），前記火室ブロック（１６）の側面を包囲する保護部分（１４ｂ），前記支持ピン（３）と係合ピン（５）の端面を被覆する部分（１４ｃ）、および、前記着火ボタン（６）を上下動可能にその側面を包囲する部分（１４ｄ）を有する保護部材（１４）；
該保護部材（１４）の内空間を通った燃料槽（１）を受け入れて、上端が保護部材（１４）に結合した外ケース（１２）；および、
外ケース（１２）とその中の燃料槽（１）とを固着する手段（１３）；を備えるライター。
【０００８】
なお、理解を容易にするためにカッコ内には、図面に示し後述する実施例の対応又は相当要素又は部材の符号を、参考までに付記した。以下も同様である。
【０００９】
外ケース（１２）に挿入直前の、或いは、外ケース（１２）から引き抜いた直後の中ユニットを、風防部材（１１：図１）又は保護部材（１４：図１２）が支持ピン（３）と係合ピン（５）の端面を被覆する位置（図１，２の（ａ）から外ケース１２を除去した状態）とした状態に維持することにより、支持ピン（３）および係合ピン（５）は抜け落ちることがない。そして、例えば親指と中指で風防部材（１１：図１）又は保護部材（１４：図１２）を、略ピン（３，５）の部位で挟持ししかも人差し指で上蓋４の上面を支えることにより、中ユニットを、そのまま外ケース１２に差し込めばよい組上げ状態で動かすことができる。そしてそのままの状態で、例えば、爪付きリングを、燃料槽（１）から突出する調整筒（１０）から外して、調整筒（１０）を廻して所望の火力にしてから、爪付きリングを調整筒（１０）に再装着するなど、所望の作業を行うことができる。支持ピン（３）と係合ピン（５）が抜け落ちることが無いので、作業性が向上する。
【００１０】
【発明の実施の形態】
（３）前記外ケースの下底（１２ｂ）には、固定ねじ（１３）が貫通する穴があり；前記燃料槽（１）の下底（１ｃ）には、該穴を貫通した固定ねじ（１３）を受け入れる雌ねじ穴があり、前記固着手段（１３）は、前記外ケースの下底（１２ｂ）の穴を通して前記燃料槽（１）の下底（１ｃ）の雌ねじ穴にねじ込まれた前記固定ねじ（１３）である；上記（１）又は（２）のライター。
【００１１】
これによれば、上述の中ユニットを燃料槽（１２）の下底（１２ｂ）から外ケース（１２）の上端（１２ａ）の開口に挿入し、外ケース（１２）の下底１２ｂの穴に固定ねじ１３の雄ねじ部を通して燃料槽（１２）の下底（１ｃ）の雌ねじ穴にねじ込むことにより、中ユニット（燃料槽１）が外ケース（１２）に固定される。外ケース（１２）の組み付けはこのように簡単である。
【００１２】
本発明の他の目的および特徴は、図面を参照した以下の実施例の説明より明らかになろう。
【００１３】
【実施例】
−第１実施例−
図１の（ａ）に本発明の第１実施例の正面を、（ｂ）に使用状態の外観を、（ｃ）に分解した部品の正面を示す。図１の（ａ）に示す正面図において、上蓋４の右側の着火ボタン６を押し下げると、上蓋４が図１の（ｂ）に示すように起立する。すなわち上蓋４が開き、風防１１が囲んだ空間から、ローソクの炎と同様な炎が立ち上がる。着火ボタン６の押下を解除すると、着火ボタン６が上昇し、炎が消えて上蓋４が閉まる。
【００１４】
図１の（ｃ）に、図１の（ａ）に示すライターの部品の概要を示す。燃料槽１の、上方向ｚに延びる燃料放出ノズル２を装着した上壁１ａに、ｚ方向に延びる支幹１ｂを一体連続に形成している。支幹１ｂには、電極台を受け入れる上下方向ｚに延びる溝がある。電極台には、圧電ユニット９の電気リードの先端８（放電電極）がある。
【００１５】
燃料放出ノズル２には、その先端に燃料ガスの着火を確実にする金属コイル２ａが装着されており、圧電ユニット９が高電圧を発生すると、放電電極８と金属コイル２ａの間に電気スパークを生じ、これにより、ノズル２が燃料ガスを放出していると、それが着火して炎となる。燃料槽１の下底１ｃには炎長調整筒１０があり、その内部に、燃料注入弁装置の燃料注入ノズルがある。炎長調整筒１０を時計方向に廻すと炎が短くなり、反時計方向に廻すと炎が長くなる。
【００１６】
上蓋４は、その左端（基部）が、ｙ方向で見てコの字型に曲がって、コの２脚で支幹１ｂの上端部を挟んでいる。その上端部で、支持ピン３が支幹１ｂを厚み方向ｘに貫通し、同時に上蓋４のコの２脚を貫通している。したがって、上蓋４はピン４を中心に、図１の（ａ）および（ｃ）に示す水平姿勢から、図１の（ｂ）に示す起立姿勢に回動できる。
【００１７】
上蓋４の基部にはまた、ｙ方向に突出するコの２脚があり、これら２脚を、厚み方向ｘに係合ピン５が貫通している。係合ピン５が、支持ピン３よりも幅方向ｙで右方にずれているので、係合ピン５を下方向に押し下げると、上蓋４が支持ピン３を中心に時計方向に回動して起立する。この係合ピン５に、幅方向ｙには相対的にずれることができるが、上下方向ｚには係合する関係に、着火ボタン６が係合している。この着火ボタン６は、上下方向ｚに移動しうるように、支幹１ｂおよび後述の風防部材１１で案内される。
【００１８】
着火ボタン６は、圧電ユニット９に被せてあり、この圧電ユニット９は燃料槽１で下支持されている。着火ボタン６の下方には、先端が燃料放出ノズル２に係合するノズル操作レバー７の後端がある。
【００１９】
風防部材１１は、燃料槽１が挿通できる内空間を囲むループ状（略長方形枠状）であって、外ケース１２の上端１２ａの開口に嵌まり込む下部分１１ａ，燃料放出ノズル１の上端の上方の着火空間を包囲する風防部分１１ｂ，支持ピン３と係合ピン５の端面を被覆する部分１１ｃ、および、着火ボタン６を上下動可能にその側面を包囲する部分１１ｄを有する。
【００２０】
図１の（ｃ）に示す風防部材１１に燃料槽１を通して、風防部材１１を上蓋４に当たる位置に置くと、風防部材１１の部分１１ｃが支持ピン３と係合ピン５の端面を被覆するので、支持ピン３および係合ピン５は抜け落ちることがない。このように風防部材１１を組み付けたユニットを、中ユニットという。次に、調整筒１０に図示しない爪つきアジャスタリングを装着してから、例えば親指と中指で風防部材１１を、略ピン３，５の部位で挟持ししかも人差し指で上蓋４の上面を支えて、中ユニットを、そのまま外ケース１２に差し込む。次に、外ケース１２の下底１２ｂの穴に固定ねじ１３の雄ねじ部を通して燃料槽１２の下底１ｃの雌ねじ穴にねじ込むことにより、中ユニットが外ケース１２に固定される。これによって、図１に示すライターとなる。外ケース１２の組み付けはこのように簡単である。
【００２１】
図１に示すライターを使用するときには、着火ボタン６を親指の腹で押し下げる。すると、上蓋４が支持を中心に回動して、図１の（ｂ）に示すように上蓋４が開く。この過程で、圧電ユニット９の操作子が着火ボタン６で下方向に押し下げられ、これに連動してレバー７の右端が押し下げられて、てこの原理で、レバー７が時計廻りに回動して燃料放出ノズル２を引き上げる。これにより燃料槽１内のバルブ機構が弁開となり、燃料ガスが燃料放出ノズル２に出て、その上端の金属コイル２ａから上方に流出する。上蓋４が全開位置近くまで回動したときに、圧電ユニット９において圧縮コイルスプリングの圧縮係止が解除されてプランジャがばねの反発力で駆動されて圧電素子を打撃し、電気リードの先端８と金属コイル２ａとの間に１５Ｋｖ前後の高圧が加わり、電気スパークを生じ、金属コイル２ａから流出する燃料ガスが着火して、風防部材１１の中から炎が立ち上る。
【００２２】
着火ボタン６は、圧電ユニット６の操作子に加わっているユニット内の圧縮コイルスプリングの反発力が加わっているので、着火ボタン６に加えている押し下げを解除すると、着火ボタン６が上昇し、このとき上蓋４がピン３を中心に反時計方向に回って、図１の（ａ）に示す閉位置に戻る。
【００２３】
ライター組み立て時または内部点検，調整時に、外ケース１２に挿入直前の、或いは、外ケース１２から引き抜いた直後の中ユニットを、風防部材１１が支持ピン３と係合ピン５の端面を被覆する位置（図１の（ａ）から外ケース１２を除去した状態）とした状態に維持することにより、支持ピン３および係合ピン５は抜け落ちることがない。そして、例えば親指と中指で風防部材１１を、略ピン３，５の部位で挟持ししかも人差し指で上蓋４の上面を支えることにより、中ユニットを、そのまま外ケース１２に差し込めばよい組上げ状態で動かすことができる。そしてそのままの状態で、例えば、爪付きアジャスタリングを、燃料槽１から突出する調整筒１０から外して、調整筒１０を廻して所望の火力にしてから、爪付きアジャスタリングを調整筒１０に再装着するなど、所望の作業を行うことができる。支持ピン３と係合ピン５が抜け落ちることが無いので、作業性が向上する。
【００２４】
−第２実施例−
図２の（ａ）に本発明の第２実施例の正面を、（ｂ）に使用状態の外観を、（ｃ）に分解した部品の正面を示す。図２の（ａ）に示す正面図において、上蓋４の右側の着火ボタン６を押し下げると、上蓋４が図２の（ｂ）に示すように起立する。すなわち上蓋４が開き、火室ブロック１６の火口１６ａから、高熱燃焼ガスが高速で吹き出る。着火ボタン６の押下を解除すると、着火ボタン６が上昇し、燃焼ガス流が消えて上蓋４が閉まる。
【００２５】
図２の（ｃ）に、図２の（ａ）に示すライターの部品の概要を示す。燃料槽１の、上方向ｚに延びる燃料放出ノズル２を装着した上壁１ａに、ｚ方向に延びる支幹１ｂを一体連続に形成している。支幹１ｂには、火室ブロック１６と係合する上下方向ｚに延びる溝がある。火室ブロック１６の上面には火口１６ａがあり、火口１６ａの中に金属リングで挟持した金属細線１６ｂがあり、その直下にカップ状のセラミック筒がある。セラミック筒の中央には、混合気ノズルがあり、その下端に中継筒がある。この中継筒に空気混合器１５が結合している。混合気ノズルは中継筒を介して圧電ユニット９の電気リードが電気的に接続されている。
【００２６】
燃料放出ノズル２には、それが放出する燃料ガスに空気を加える空気混合器１５が結合しており、この空気混合器１５が、中継筒を通してセラミック筒の中央の混合気ノズルに、燃料ガスに空気が混合した混合気を供給する。圧電ユニット９が高電圧を発生すると、混合気ノズルと金属リングの間に電気スパークを生じ、これにより、ノズル２が燃料ガスを放出していると、混合気ノズルからセラミック筒に出た混合気が着火して、高熱燃焼ガスとなり、火口１６ａから高速で吹き出て金属細線１６ｂが赤熱する。燃料槽１の下底１ｃには炎長調整筒１０があり、その内部に、燃料注入弁装置の燃料注入ノズルがある。炎長調整筒１０を時計方向に廻すと高熱燃焼ガスの火力が弱くなり、反時計方向に廻すと強くなる。
【００２７】
この第２実施例では、第１実施例の風防部材１１に変えて、外形は同等であるが、空気吸入口がない部材である保護部材１４が用いられている。この保護部材１４は、燃料槽１が挿通できる内空間を囲むループ状であって、外ケース１２の上端１２ａの開口に嵌まりこむ下部分１４ａ，火室ブロック１６の側面を包囲する保護部分１４ｂ，支持ピン３と係合ピン５の端面を被覆する部分１４ｃ、および、着火ボタン６を上下動可能にその側面を包囲する部分１４ｄを有する。
【００２８】
図２の（ｃ）に示す保護部材１４に燃料槽１を通して、保護部材１４を上蓋４に当たる位置に置くと、保護部材１４の部分１４ｃが支持ピン３と係合ピン５の端面を被覆するので、支持ピン３および係合ピン５は抜け落ちることがない。このように保護部材１４を組み付けたユニットを、中ユニットという。次に、調整筒１０に図示しない爪つきアジャスタリングを装着してから、例えば親指と中指で保護部材１４を、略ピン３，５の部位で挟持ししかも人差し指で上蓋４の上面を支えて、中ユニットを、そのまま外ケース１２に差し込む。次に、外ケース１２の下底１２ｂの穴に固定ねじ１３の雄ねじ部を通して燃料槽１２の下底１ｃの雌ねじ穴にねじ込むことにより、中ユニットが外ケース１２に固定される。これによって、図２に示すライターとなる。外ケース１２の組み付けはこのように簡単である。
【図面の簡単な説明】
【図１】  （ａ）は本発明の第１実施例のライターの正面図、（ｂ）は使用状態の斜視図、（ｃ）は分解して部品を示す正面図である。
【図２】  （ａ）は本発明の第２実施例のライターの正面図、（ｂ）は使用状態の斜視図、（ｃ）は分解して部品を示す正面図である。
【符号の説明】
１：燃料槽            １ａ：上壁
１ｂ：支幹            １ｃ：下底
２：燃料放出ノズル    ３：支持ピン
４：上蓋              ５：係合ピン
６：着火ボタン        ７：レバー
８：電気リードの先端  ９：圧電ユニット
１０：調整筒          １１：風防部材
１１ａ：下部分        １１ｂ：風防部分
１１ｃ：被覆する部分  １１ｄ：包囲する部分
１２：外ケース        １２ａ：上端
１２ｂ：下底          １３：固着する手段
１４：保護部材        １４ａ：下部分
１４ｂ：保護部分      １４ｃ：被覆する部分
１４ｄ：包囲する部分  １５：空気混合気
１６：火室ブロック    １６ａ：火口
１６ｂ：金属細線
【図１】
0003653252.tif 000002
【図２】
0003653252.tif 000003